(57)【要約】【課題】屋根の大小を問わずに、断熱機能とスライド機能とを有する屋根を構成するための屋根板取付け金具の提供をすること。【解決手段】下葺屋根２１の剣先ボルト２５に対して固定される固定部材５１に、下葺屋根１２の上に載置される底板部５２と、底板部５２の両側から立設された側板部５３とが形成されるとともに、底板部５２には、上記剣先ボルト２５を通す剣先ボルト挿通孔５２ｂが形成される。また、側板部５３には締結ボルト７１を通す締結ボルト挿通孔５３ａ，５３ｂが形成される。そして、この固定部５１には、固定部５１の側板部５３間に収まる断熱部材６１が着脱可能に取付けられる。断熱部材６１には、屋根板４２の長さ方向にスライド可能で屋根板４２を固定するスライド部材８１が固定部材５１と非接触に取付けられている。下葺屋根２１に対して固定するときに、断熱部材６１を固定部材５１から外すことによって、簡易な固定作業が可能となる。また、小型化や構造の簡素化を図れ、中小型の建物の屋根にも適用できる。【選択図】図４
2008050931.tif 000002
【特許請求の範囲】
【請求項１】
下葺屋根の剣先ボルト部分に固定される固定部材と、上葺屋根を構成する屋根板を固定するための固定手段を有し、屋根板の長さ方向にスライド可能なスライド部材とを備えた屋根板取付け金具であって、
上記固定部材には、下葺屋根の上に載置される底板部と、該底板部の左右方向両側から立設された側板部とが形成されるとともに、
底板部には、上記剣先ボルトを挿通させる剣先ボルト挿通孔が形成され、側板部間には、断熱部材が保持され、
該断熱部材に、上記スライド部材が固定部材と非接触に取付けられた
屋根板取付け金具。
【請求項２】
下葺屋根の剣先ボルト部分に固定される固定部材に対して、上葺屋根を構成する屋根板を固定するための固定手段を有し、屋根板の長さ方向にスライド可能なスライド部材が取付けられた屋根板取付け金具であって、
上記固定部材には、下葺屋根の上に載置される底板部と、該底板部の左右方向両側から立設された側板部とが形成されるとともに、
底板部には、上記剣先ボルトを挿通させる剣先ボルト挿通孔が形成され、側板部には、締結ボルトを挿通させる締結ボルト挿通孔が形成され、
上記固定部材には、固定部材の側板部間に収まるとともに、上記締結ボルト挿通孔に対応する位置に貫通孔を有した断熱部材が上記締結ボルトによって着脱可能に取付けられ、
該断熱部材に、上記スライド部材が固定部材と非接触に取付けられた
屋根板取付け金具。
【請求項３】
前記断熱部材が、固定部材の底板部から浮いた状態で保持され、固定部材の底板部の上方における前後方向の少なくとも一方が開放された
請求項１または請求項２に記載の屋根板取付け金具。
【請求項４】
前記断熱部材が、固定部材の底板部に達する大きさであるとともに、内部には、剣先ボルト部分を収容する収容空間が形成された
請求項１または請求項２に記載の屋根板取付け金具。
【請求項５】
前記固定部材の側板部の上端に、内側に突出する受け部が形成され、
これら受け部を受け入れる溝部が、上記断熱部材に形成されるとともに、
断熱部材における前後方向の一方側の端部に、左右方向外方向に張り出す縁部が形成され、
前後方向の他方側の端面が、左右方向の中間部が突出する湾曲面で形成された
請求項１から請求項４のうちのいずれか一項に記載の屋根板取付け金具。
【請求項６】
前記底板部に、上へ凸の隆起部が形成され、該隆起部の中央部に前記剣先ボルト挿通孔が設けられた
請求項１から請求項５のうちのいずれか一項に記載の屋根板取付け金具。
【請求項７】
前記請求項１から請求項７のうちのいずれか一項に記載の屋根板取付け金具を有する
屋根構造。
【発明の詳細な説明】
【技術分野】
【０００１】
この発明は、折板からなる屋根板を上下二重に葺くときに用いられる屋根板取付け金具に関し、より詳しくは、中小型の建物の屋根においても断熱性が得られるとともに、上葺屋根の屋根板を屋根板の長さ方向に伸縮できるようにするための屋根板取付け金具に関する。
【背景技術】
【０００２】
折板からなる屋根板は金属製であって、熱の影響を受けやすい。つまり、熱を伝導し、伸縮も発生する。
【０００３】
このため、大型の建物の屋根においては、屋根の上からの熱伝導を断ち、屋根板の伸縮を許容する様々な屋根板取付け金具が提案されてきた。  
たとえば、下記特許文献１の断熱支持具がある。
【０００４】
この断熱支持具は、断面Ｕ字形の固定体と、略門形状の上部支持体と、断熱体とからなる。そして、固定体の両立上り側部と上部支持体の両垂下状側部との間に断熱体をそれぞれ設けて固定体と上部支持体とを離間し、上記断熱体を有する部分をボルトからなる固定用軸杆を用いて固定体および上部支持体と非接触に連結する。この固定用軸杆は、固定体に設けられた長孔からなるガイド孔内を摺動可能である。また、屋根板を固定するための固定手段として剣先ボルトからなる螺子杆が上部支持体の上面に立設されている。
【０００５】
この構成により、上部支持体に固定された屋根板からの熱伝導は、断熱体によって遮断され、断熱が図られる。また、上部支持体に固定された屋根板が伸縮した時には、その伸縮に伴って上部支持体が固定体のうえをスライドし、屋根板にたまるひずみを吸収するので、屋根板の伸縮に伴う音鳴り防止が図られる。
【０００６】
しかし、中小型の建物で好適に使用されている、いわゆる「８８（ハチハチ）」と称される折板（以下、「８８折板」という。）を取付ける屋根板取付け金具では、上記のような断熱とスライドを可能にするものは存在しなかった。
【０００７】
８８折板は剣先ボルトによって固定されるため、屋根板取付け金具の下側部分には下葺の８８折板を固定したときの剣先ボルトが存在する一方、屋根板取付け金具の上側部分には、上葺の８８折板を固定するときの剣先ボルトが必要であって、屋根板取付け金具の固定に際して下の剣先ボルトを利用しようとすれば、上の剣先ボルトを取付けるための部分が邪魔になる。そのうえ、断熱のための部材の配置や８８折板の高さ（８８mm）の関係上、構造や取付け作業が複雑になってしまうからであると考えられる。たとえば上述した特許文献１の構成では、固定体を固定するときに被連結用内螺子を螺合しなければならないが、被連結用内螺子の螺合は上部支持体の下方で行われなければならず、螺合作業に上部支持体が邪魔である。しかし、上部支持体を外そうとすると、断熱体をはじめとする複数の部材がばらばらになるので、固定体の固定作業は容易ではない。
【０００８】
これまでのように、屋根板取付け金具を下葺屋根の上に固定してからそのまま単に上葺屋根を葺成するという方式では、８８折板を固定する屋根板取付け金具で断熱とスライドを可能にすることは困難である。
【０００９】
８８折板をスライド可能に固定する屋根板取付け金具としては、下記特許文献２のような取付け部材がある。しかし、この取付け部材では、取付け部材の上面に長孔が形成されており、この長孔内を移動可能なようにすべく、屋根板を取付けるためのボルトを、ワッシャとナットとで固定するというものであって、ボルトに取付けられた屋根板は屋根板の長手方向に伸縮可能であるものの、取付け金具自体に断熱のための構造がないので、断熱機能は、その他の部材にもたせなければならない。つまり、屋根板にたまった熱は取付け部材を介して、取付け部材が固定されている部分にも伝達してしまう。このため、断熱性能はよくない。
【００１０】
また、取付け部材の固定は、取付け部材の下端部に設けられた「ハ」の字型をなす取付板部で行うので、独自の取付け作業が必要である。このため、上記のように断熱を別の部材で行わなければならないことと相まって、施工が困難であるという問題点も有する。
【００１１】
【特許文献１】実用新案登録第２５８０５３８号公報
【特許文献２】実公昭６３−１１２２９号公報
【発明の開示】
【発明が解決しようとする課題】
【００１２】
そこで、この発明は、屋根の大小を問わずに、断熱機能とスライド機能を得られるようにすることを主たる課題とする。
【課題を解決するための手段】
【００１３】
そのための手段は、下葺屋根の剣先ボルト部分に固定される固定部材と、上葺屋根を構成する屋根板を固定するための固定手段を有し、屋根板の長さ方向にスライド可能なスライド部材とを備えた屋根板取付け金具であって、上記固定部材には、下葺屋根の上に載置される底板部と、該底板部の左右方向両側から立設された側板部とが形成されるとともに、底板部には、上記剣先ボルトを挿通させる剣先ボルト挿通孔が形成され、側板部間には、断熱部材が保持され、該断熱部材に、上記スライド部材が固定部材と非接触に取付けられた屋根板取付け金具である。
【００１４】
上記の構成によれば、固定部材は下葺屋根上に固定され、この固定部材に固定された断熱部材には固定部材と非接触のスライド部材が取付けられ、このスライド部材に上葺屋根が葺成されるので、上葺屋根からの熱伝導を断熱部材で遮断できる。そのうえ、上葺屋根の伸縮に伴ってスライド部材はスライドするので、上葺屋根にたまる歪を吸収して、屋根板の伸縮に伴う音鳴りを防止できる。
【００１５】
このような屋根板取付け金具の固定は、つぎのように行われる。まず、断熱部材を外した状態、または断熱部材を保持した状態の固定部材を、剣先ボルトに挿しただけの下葺屋根における剣先ボルト部分に固定する。つまり、固定部材の底板に形成された剣先ボルト挿通孔を剣先ボルトに挿嵌してから、ナット等を有する適宜の締め付け部材を剣先ボルトに螺合して、下葺屋根の固定とともに固定部材の固定も行う。次に、断熱部材に取付けられたスライド部材を介して上葺屋根の葺成を行う。
【００１６】
固定部材は、底板部と側板部とを有する形状であるので、断熱部材の着脱は上からでも、または前後方向（側板部同士が対向する方向と直交する方向）からでも容易に行うことができる。
【００１７】
また、固定部材の底板部には、剣先ボルト挿通孔を有しており、下葺屋根の固定と同時に固定するので、作業の簡素化を図ることができる。
【００１８】
別の手段は、下葺屋根の剣先ボルト部分に固定される固定部材に対して、上葺屋根を構成する屋根板を固定するための固定手段を有し、屋根板の長さ方向にスライド可能なスライド部材が取付けられた屋根板取付け金具であって、上記固定部材には、下葺屋根の上に載置される底板部と、該底板部の左右方向両側から立設された側板部とが形成されるとともに、底板部には、上記剣先ボルトを挿通させる剣先ボルト挿通孔が形成され、側板部には、締結ボルトを挿通させる締結ボルト挿通孔が形成され、上記固定部材には、固定部材の側板部間に収まるとともに、上記締結ボルト挿通孔に対応する位置に貫通孔を有した断熱部材が上記締結ボルトによって着脱可能に取付けられ、該断熱部材に、上記スライド部材が固定部材と非接触に取付けられた屋根板取付け金具である。
【００１９】
この構成によれば、固定部材は下葺屋根上に固定され、この固定部材に固定された断熱部材には固定部材と非接触のスライド部材が取付けられ、このスライド部材に上葺屋根が葺成されるので、上葺屋根からの熱伝導を断熱部材で遮断できる。そのうえ、上葺屋根の伸縮に伴ってスライド部材はスライドするので、上葺屋根にたまる歪を吸収して、屋根板の伸縮に伴う音鳴りを防止できる。
【００２０】
このような屋根板取付け金具の固定は、つぎのように行われる。まず、断熱部材を外した状態の固定部材を、剣先ボルトに挿しただけの下葺屋根における剣先ボルト部分に固定する。つまり、固定部材の底板に形成された剣先ボルト挿通孔を剣先ボルトに挿嵌してから、ナット等を有する適宜の締め付け部材を剣先ボルトに螺合して、下葺屋根の固定とともに固定部材の固定も行う。次に、締結ボルトを用いて断熱部材を固定部材に対して固定し、断熱部材に取付けられたスライド部材を介して上葺屋根の葺成を行う。
【００２１】
このように、断熱部材は固定部材に対して締結ボルトによって容易に着脱できるので、固定部材の固定時に断熱部材を外すことで、固定部材の固定作業が容易に行える。
【００２２】
しかも、固定部材は、底板部と側板部とを有する形状であるので、断熱部材の着脱は上からでも、または前後方向（側板部同士が対向する方向と直交する方向）からでも容易に行うことができる。
【００２３】
また、固定部材の底板部には、剣先ボルト挿通孔を有しており、下葺屋根の固定と同時に固定するので、作業の簡素化を図ることができる。
【００２４】
さらに、固定部材に対して着脱するものが断熱部材であって、断熱部材にはスライド部材が備えられているので、部品点数を少なくした状態での着脱が可能であり、着脱作業を簡単にすることができる。
【発明の効果】
【００２５】
以上のようにこの発明によれば、固定部材の固定は、下葺の屋根板を固定するための剣先ボルトとこれに螺合する締め付け部材とによって、下葺の屋根板の固定と同時に行える。しかも、断熱部材による断熱性が得られ、スライド部材による屋根板の伸縮にあわせたスライドも可能である。
【００２６】
また、この固定作業に際して、スライド部材を有する断熱部材は取り外しておけるようにすれば、固定作業は容易である。そして、スライド部材を備える断熱部材が着脱可能であれば、部品点数の低減も図れ、着脱の作業自体も簡単にできる。
【００２７】
この結果、これまで実現されなかった８８折板においても、断熱機能とスライド機能を得ることができる。
【発明を実施するための最良の形態】
【００２８】
この発明を実施するための一形態を、以下図面を用いて説明する。  
図１は、屋根１１を示す断面図であり、この屋根１１は、下葺屋根２１と、下葺屋根２１の上に固定された屋根板取付け金具３１（以下、「金具」という。）と、この金具３１によって固定される上葺屋根４１とからなり、上葺屋根４１が受けた熱の伝導は金具３１によって遮断され、屋根１１下の空間に対する断熱を行うものである。また、上葺屋根４１が熱を受けて伸縮するときには、その伸縮に従って上葺屋根４１を屋根１１の長さ方向に移動させて、ひずみがたまるのを防止して、伸縮による音鳴り防止を図るものである。
【００２９】
この項における例では、下葺屋根２１と上葺屋根４１を構成する屋根板２２，４２として、中小型の建物に好適に用いられている８８折板を示したが、これに限られることはなく、大型の建物に用いられるその他のタイプの屋根板であるもよい。
【００３０】
また、上記下葺屋根２１は、Ｈ鋼等の下地材２３上に固定されたタイトフレーム２４に対して固定される。固定は、山部２４ａと谷部２４ｂを交互に有するタイトフレーム２４の山部２４ａに立設された剣先ボルト２５に対して行う。すなわち、屋根板２２を剣先ボルト２５の先にのせて、上から叩いて屋根板２２に孔を開けて剣先ボルト２５に通す。そして、この後で、防水パッキンとナットとからなる締め付け部材２６を剣先ボルト２５に取付ける（図４参照）。
【００３１】
図２は、金具３１の斜視図であり、図３は金具３１の分解斜視図であり、これらの図に示すように、金具３１は、金属製の固定部材５１と、この固定部材５１に着脱可能に取付けられる構成樹脂製の断熱部材６１とを有する。
【００３２】
固定金具５１は、下葺屋根２１の剣先ボルト２５部分に固定されるもので、断面略Ｕ字状をなす短い樋状になるように、金属板を折曲して形成される。
【００３３】
具体的には、下葺屋根２１の山部の頂面上に載置される底板部５２と、底板部５２の両側から立設される側板部５３，５３とを有する。底板部５２の中央には、平面視円形に打ち出された、上に凸の隆起部５２ａが形成され、この隆起部５２ａの中心に、下葺屋根２１を固定する剣先ボルト２５が通る剣先ボルト挿通孔５２ｂが設けられている。隆起部５２ａの存在により、下葺屋根２１を固定するときに屋根板２２に開けた孔の縁が底板部５２に対して当たることを回避できるとともに、底板部５２の強度を向上できる。
【００３４】
側板部５３には、固定部材５１に対して断熱部材６１を一体化するための締結ボルト７１を通すための締結ボルト挿通孔５３ａ，５３ｂが２個ずつ形成される。２個の締結ボルト挿通孔５３ａ，５３ｂは、同じ高さで、側板部５３の幅方向の両側に分けて形成される。すなわち、上記剣先ボルト挿通孔５２ｂと上下方向において干渉しない位置に２個の締結ボルト挿通孔５３ａ，５３ｂが形成される。
【００３５】
また、一方の（図面左側）の側板部５３に形成される締結ボルト挿通孔５３ａは、円形であるが、他方（図面右側）の側板部５３に形成される締結ボルト挿通孔５３ｂは、よこながの長円形に形成される。これは、一体にした２本の締結ボルト７１，７１を挿入しやすくするためである。
【００３６】
側板部５３の上端は、外方に向けて水平に折曲され、断熱部材の一部を受ける受け面部５４が形成される。また、側板部５３の幅方向の両側部には、耳部５５が一体形成されており、この耳部５５は側板部５３の外側面に重合するように折り返されている。耳部５５の存在により、固定部材５１の強度の向上を図ることができる。そして、この耳部５５の下端からは、下葺屋根の山部の傾斜に沿うように斜めにのびる脚部５６が連設されており、固定部材５１が下葺屋根２１上で安定するように設定されている。図３中、５５ａは、締結ボルト７１に対して座金付きのナット７２を締め付けるときにぬすみを得るための切欠である。
【００３７】
２本の締結ボルト７１，７１は、その頭部が短冊状の連結板７３によって、上記締結ボルト挿通孔５３ａ，５３ｂに挿通可能なように所定の間隔を隔ててカシメ等の適宜手段で連結一体化されている。
【００３８】
断熱部材６１は、固定部材５１に対して上から嵌められるように形成されており、その左右方向の幅は、固定部材５１の側板部５３間の幅よりも大きく形成され、前後方向（側板部５３同士が対向する方向と直交する方向）の幅も側板部５３の幅よりも大きく設定されている。また、固定部材５１に嵌めた時に断熱部材６１の下端が固定部材５１の底板部５２に接するとともに、断熱部材６１の上端部が側板部５３よりも上に突出する大きさに形成されている。
【００３９】
具体的には、断熱部材６１の左右両側面に、固定部材５１の側板部５３の内側面に対向する対向面６２が凹んだ状態で形成され、その幅方向（前後方向）の両端には、側板部５３の両端縁に対向する縁部６３が左右方向に突設されている。そして、対向面６２部分には、上記締結ボルト７１，７１を通すための締結ボルト挿通孔６４が２個形成されている。
【００４０】
また、上記対向面６２よりも上には、断面等脚台形状の突出部６５が形成される。この突出部６５の下端は上記縁部６３の表面と同じ位置まで左右方向に張り出しており、上記対向面６２の上方に庇のように張り出す部分が形成され、この部分が固定部材５１の受け面部５４によって支持される。また、突出部６５における左右両側の傾斜面６５ａの傾斜は、屋根板４２の傾斜と同程度の角度に傾けられている。
【００４１】
このような断熱部材６１には、固定部材５１と非接触にスライド部材８１が取付けられる。スライド部材８１は屋根板４２を固定するための固定手段を有し、屋根板の長さ方向（前後方向）にスライドするものである。
【００４２】
スライド部材８１は適宜取付けられるが、その取付け方にはたとえば、断熱部材６１内に組み込まれて断熱部材６１内をスライドするように取付けるものや、断熱部材６１の表面をスライドするように取付けるものがある。
【００４３】
図１等に示した例は前者の例である。  
すなわち、スライド部材８１が、断熱部材６１に貫通形成されたスライド溝６６内をスライドする板材を用いて形成されている。具体的には、スライド部材８１は、図３、図４、図５、図６に示したように、板材としての短冊状をなすスライド板８２と、この中心に立設された固定手段としての剣先ボルト８３とからなる。
【００４４】
スライド板８２は断熱部材６１の前後方向の長さよりも長く形成され、中心に雌ねじ孔８２ａが形成されている。剣先ボルト８３は、径の異なる２段の雄ねじ部を有し、大径の第１雄ねじ部８３ａは、スライド板８２の雌ねじ孔８２ａに螺合する大きさである。小径の第２雄ねじ部８３ｂは上葺屋根４１を構成する屋根板４２を固定するための部分で、ナットと防水パッキン等からなる締め付け部材４３が取付けられる。第１雄ねじ部８３ａの高さは、図４、図５に示したように、断熱部材６１に取付けられた時に、その上端が断熱部材６１の上端面から適宜高さ突出する高さに設定される。
【００４５】
この剣先ボルト８３は、スプリングワッシャ８４を介してスライド板８２に下から螺合することでスライド板８２に対して一体化される。
【００４６】
この一体化は、図５に示したようにスライド板８２を断熱部材６１に組み込んだ状態で剣先ボルト８３を下から螺合して行う。
【００４７】
このため、断熱部材６１は、締結ボルト挿通孔６４よりも高い位置に、スライド板８２を前後方向にスライド可能に保持するための上記スライド溝６６を前後方向に貫通する状態で有する。スライド溝６６は、スライド板８２に固定された剣先ボルト８３の頭部が移動するためのぬすみ６６ａを一体に有している。そして、スライド溝６６の上方部分であって、長さ方向の中間部には、前後方向に長い長溝６７が形成されている。この長溝６７は、スライド部材８１の剣先ボルト８３がスライドする部分であり、スライド部材８１のスライド範囲を規制する。一方、スライド溝６６の下方部分であって、前後方向の中間位置には、下端からスライド溝６６まで上下方向に貫通する平面視円形の貫通孔部６８が形成される。この貫通孔部６８は、剣先ボルト８３の頭部よりも大径である。また、貫通孔部６８は、下葺屋根２１を固定する剣先ボルト２５と締め付け部材２６を収容する大きさに形成され、これらを収容する収容空間６９に設定される。
【００４８】
断熱部材６１に一体化されたスライド部材８１に対しては、その剣先ボルト８３の第２雄ねじ部８３ｂに対して図３、図４、図５に示したような板ナット９１を螺合する。また、必要に応じて、上記板ナット９１の上に補助受け金具９２を載置する。補助受け金具９２は、屋根板４２の山部の内側に沿う形状のもので、水平な上面部９２ａの左右両側から斜め下に向けて肩部９２ｂが延設されている。前後方向の長さは適宜設定される。そして、上面部９２ａの中心には剣先ボルト８３の第２雄ねじ部８３ｂを挿通する貫通孔９２ｃが形成されている。なお、図３、図５に仮想線で示したように、上面部９２ａにおける上記板ナット９１の外周位置に対応する部位に、下に凸の規制突部９２ｄを打ち出しにより形成すると、板ナット９１に対して上から載置したときの安定性を高めることができる。
【００４９】
以上のように構成された金具３１は、図７〜図９に示したように使用されて、図１に示したような屋根１１が形成される。
【００５０】
まず、図７に示したように、下地材２３に対してタイトフレーム２４を固定して下葺屋根２１を形成する。つまり、下地材２３に固定したタイトフレーム２４の上に屋根板２２を被せて、タイトフレーム２４の山部に立設された剣先ボルト２５を屋根板２２に突き刺し、屋根板２２に孔を開けて屋根板２２をタイトフレーム２４にのせた状態にする。そして次に、断熱部材６１を外した状態の固定部材５１を、下葺屋根２１の山部に乗せる。固定部材５１の剣先ボルト挿通孔５２ｂに剣先ボルト２５を通して、底板部５２と脚部５６を下葺屋根２１の上面に接地させ、締め付け部材２６を剣先ボルト２５に取付けて屋根板２２と固定部材５１の固定を行う。
【００５１】
つづいて、図８に示したように、スライド部材８１を取付けた断熱部材６１を固定部材５１に対して上から嵌め付けるとともに、締結ボルト７１を用いて、固定部材５１と断熱部材６１を一体化する。
【００５２】
このあと、板ナット９１をスライド部材８１の第２雄ねじ部８３ｂに螺合するとともに、図９に示したようにして、板ナット９１の上に必要に応じて補助受け金具９２を載置する。そして、スライド部材８１の剣先ボルト８３を利用して屋根板４２を固定し、上葺屋根４１を葺成する（図１参照）。
【００５３】
このようにして構成された屋根１１では、固定部材５１は下葺屋根２１上に固定されており、この固定部材５１に固定された断熱部材６１には固定部材５１と非接触のスライド部材８１が取付けられ、このスライド部材８１に上葺屋根４１が葺成される。このため、上葺屋根４１からの熱伝導を断熱部材６１で遮断できる。そのうえ、上葺屋根４１の伸縮に伴ってスライド部材８１はスライドするので、上葺屋根４１にたまる歪を吸収して、屋根板４２の伸縮に伴う音鳴りを防止できる。
【００５４】
また、金具３１の固定にあたっては、断熱部材６１を外して固定部材５１のみを、下葺屋根２１の固定の最終段階としての締め付け部材２６の取付けで行うので、作業自体が簡単であり、別途に固定作業を行う必要もなく、施工の簡素化を図ることができる。
【００５５】
断熱部材６１はスライド部材８１を備えており固定部材５１に対して上から固定する構造であるので、部品点数を低減できて取付け作業は到って簡単である。そのうえ断熱部材６１と固定部材５１とを一体化するための２本のボルト７１が一体化されているので、部品点数の低減とも相俟って、固定作業をさらに簡易にできる。
【００５６】
さらに、固定部材５１における剣先ボルト挿通孔５２ｂと締結ボルト挿通孔５３ａ，５３ｂは、上下方向で干渉しないように配設されているので、金具３１の高さを低く設定することができ、中小型の建物の屋根としても望ましい状態で使用できる。
【００５７】
さらにまた、下葺屋根２１と固定部材５１の固定を行う剣先ボルト２５部分は、断熱部材６１の貫通孔部６８（収容空間６９）内に収容されて、外部から遮断されるので、剣先ボルト２５部分を隠蔽できる。この結果、外気との接触を抑制して締結部分の保護を図ることができる。
【００５８】
以下、その他の例を説明する。説明に際して、上記構成と同一または同等の部位については同一の符号を付して、その詳しい説明を省略する。以下、同様である。  
図１０はスライド部材８１の他の例を示している。この例においてもスライド部材８１は、スライド板８２と剣先ボルト８３とからなるが、図１０（ａ）に示したように、剣先ボルト８３はスライド板８２に対して上から螺合して取付ける構造である。すなわち、剣先ボルト８３は長さ方向における中間部に、上記構成の板ナット９１と同様の役目を果たす鍔部８５を一体に有し、鍔部８５よりも下の下端部の適宜範囲内に、スライド板８２の雌ねじ孔８２ａに螺合される第１雄ねじ部８３ａが形成されている。この第１雄ねじ部８３ａより上側には、ねじをきっていない無ねじ部８３ｃが設けられている。そして、鍔部８５よりも上側には、上葺屋根４１を構成する屋根板４２を固定するための第２雄ねじ部８３ｂが形成されている。
【００５９】
このような構成のスライド部材８１の場合には、スライド板８２を断熱部材６１内に組み込んでから、剣先ボルト８３を上から螺合するとよい。図１０（ｂ）に示したように、スライド溝６６の下方に上下方向に貫通する部分を設ける必要がなく、断熱部材６１の強度を確保できる。
【００６０】
図１１、図１２は、固定部材５１の他の例を示している。図１１の固定部材５１は、側板部５３の幅を、底板部５２の幅よりも長く設定して、側板部５３の両側部分に、脚部５６が形成できるようにした例である。図１２は、側板部５３の両側部分の下端部を両側に張り出して、脚部５６を延設した例である。
【００６１】
図１３は、屋根１１の構成に当たって、一部の金具３１のスライド部材８１をスライド不可にする場合に使用されるストッパ部材９５を示す例である。このストッパ部材９５は、スライド部材８１に対して上から取付けられ、スライド部材８１の一部に係合する第１係合部と、断熱部材６１の一部に係合する第２係合部とを有するものであって、短冊状の金属板を折り曲げ加工して得られる。
【００６２】
すなわち、短冊状をなす金属板の中央部に、板ナット９１に対して上から嵌合する形状の凸部９５ａが形成され、この凸部９５ａの中心に、剣先ボルト８３の第２雄ねじ部８３ｂを通す貫通孔９５ｂが形成されている。この貫通孔９５ｂが、上記第１係合部である。
【００６３】
そして、上記凸部９５ａの端から、前後方向に向けて水平に延びる２枚の延設部９５ｃ，９５ｃが形成され、これらの延設部９５ｃは、先端が断熱部材６１の前後方向の端部に達する長さ設定される。延設部９５ｃの先端からは下に向けて垂れる規制片９５ｄが形成されている。規制片９５ｄは、スライド部材８１がスライドしようとすると断熱部材６１に係合するもので、上記の第２係合部に相当する。
【００６４】
図１４は、スライド部材８１が前後方向に円滑に傾動するように構成された例である。すなわち、断熱部材６１に形成されるスライド溝６６の上面が横から見て下に凸の円弧状になるように、またスライド溝６６の下面が横から見て上に凸の円弧状になるように形成されている。このように構成されると、屋根１１の勾配に対して円滑に対応して、美麗な屋根の形成に資する。
【００６５】
図１５は、断熱部材６１に補強金具９７を備えて、強度を高めた例を示している。すなわち、この断熱部材６１は、左右両側部分に補強金具９７，９７を備えている。補強金具９７は、金属板を折り曲げて形成されたもので、断熱部材６１上端の突出部６５の断面形状に合わせて、上から、水平部９７ａと傾斜部９７ｂとを有し、傾斜部９７ｂからは真っ直ぐ下にのびる垂下部９７ｃが形成されている。上記水平部９７ａと傾斜部９７ｂは断熱部材６１の表面と面一からそれよりも下に凹むように設定されている。そして、垂下部９７ｃは、固定部材５１の上端の受け面部５４に形成された挿通孔５４ａを通って、側板部５３の外側面に面接触するように設定されている。垂下部９７ｃにおける締結ボルト７１挿通位置には、締結ボルト挿通孔９７ｄが形成され、締結ボルト７１による固定部材５１と断熱部材６１の一体化に際して、固定部材５１に対し一体化できるようにしている。
【００６６】
このような補強金具９７を備えた断熱部材６１は、図３等に示した場合と同様に、固定部材５１に対して上から嵌めて一体化できる。そして、締結ボルト７１を用いて一体化すると、補強金具９７の水平部９７ａと傾斜部９７ｂが、断熱部材６１が上に引っ張られるのを、スライド部材８１のスライド板８２よりも上の位置で規制するので、負圧作用時の耐久性を高めることができる。
【００６７】
図１６、図１７、図１８は、断熱部材６１に対するスライド部材８１の他の取付け方を示している。すなわち、断熱部材６１の表面をスライドするように取付けるものであって、断熱部材６１の表面をスライドすべく、断面形状における開口部が内奥部よりも幅狭である形状の形材を用いて形成された例を示している。
【００６８】
すなわち、断熱部材６１における固定部材５１よりも上に突出する突出部６５には、上下方向の中間部に水平に切り込まれる溝部６５ｂが形成され、溝部６５ｂよりも上側にレール部６５ｃが形成されている。そして、このレール部６５ｃの表面に沿うとともに、上記溝部６５ａに入り込む断面略Ｃ字形をなすスライド枠材８６を、上記形材として、スライド部材８１が備えている。
【００６９】
スライド枠材８６は、スライドさせる長さに応じて適宜設定され、その上面の中心に、剣先ボルト８３が立設されている。また、スライド枠材８６の長さ方向の両端には、下に折れ曲がり、スライド範囲を規制する規制片８６ａが形成されている。この規制片８６ａは、図１９に示したように、断熱部材６１に対して取付けてから折り曲げられる。図１７中、６５ｄは、剣先ボルト８３の頭部の移動を許容するぬすみ溝である。
【００７０】
また、上記のようなスライド部材８１を用いる場合には、補強のため、断熱部材６１内に補強金具９９を備えるとよい。すなわち、図１７、図１９に示したように、断熱部材６１には上記レール部６５ｃから下にかけてＴ字状の保持溝６５ｅが設けられ、この保持溝６５ｅに補強金具９９が挿入保持される。補強金具９９は、断熱部材６１の前後方向の長さと同一かそれよりも短く形成された板状で、上端に、それぞれ左右方向の相反する方向に折り曲げられた２個の水平片９９ａ，９９ａが形成され、一方の水平片９９ａの端部には保持溝６５ｅに挿入したときの挿入位置を規制する規制片９９ｂが設けられている。また、補強金具９９の下方には、締結ボルト部材７１を通すための２個の締結ボルト挿通孔９９ｃが形成されるとともに、下端部には、下葺屋根２１を固定する剣先ボルト２５との干渉を防ぐ切欠部９９ｄが形成されている。
【００７１】
このような補強金具９９は、スライド部材８１の取付けと同様に、断熱部材６１に対して予め取付けられる。
【００７２】
下葺屋根２１に対する固定や、上葺屋根４１の葺成は図７〜図９に示した場合と同様である。
【００７３】
図２０は、図１６に示した構成の金具３１に対して使用されるストッパ部材９６の例を示している。このストッパ部材９６は、略短冊状の金属板から形成され、スライド部材８１のスライド枠材８６の上面に重合される平板部９６ａを有する。平板部９６ａの中心部には、剣先ボルト８３を通す貫通孔９６ｂが形成され、平板部９６ａの長さ方向の両端からは、下に向けて延びる規制片９６ｃが形成されている。規制片９６ｃは、スライド枠材８６の上面に形成された透孔８６ｂを通ってさらに下に突出し、スライド部材８１がスライドしようとすると断熱部材６１の前後方向上端の角に当たって、スライドを規制するものである。上記貫通孔９６ｂが、スライド部材の一部に係合する第１係合部であり、規制片９６ｃが、断熱部材６１の一部に係合する第２係合部である。
【００７４】
図２１、図２２は、断熱部材６１を固定部材５１に対してその前後方向から嵌め込んで取付けるようにした金具３１と断熱部材６１を示している。
【００７５】
この金具３１においては固定部材５１の側板部５３の上端には、内側に向けて折り曲げられる受け面部５４が形成されている。この受け面部５４は、上からの荷重を受けるとともに、上からの引っ張りに対しても対抗する。
【００７６】
そして、断熱部材６１には、上記受け面部５４が差し込まれる溝部６１ａが形成され、この溝部６１ａの高さよりも下方に、スライド部材８１のスライド板８２をスライド可能に保持するスライド溝６６が形成されている。図２１、図２２では、剣先ボルト８３を上から螺合する例を示したが、下から螺合するものであるもよい。
【００７７】
そして、断熱部材６１の下部には、前後方向の一方側を開口、他方側を閉口して、下葺屋根２１の剣先ボルト２５と締め付け部材２６を収容する収容空間６９が形成されている。
【００７８】
このように構成された固定部材５１と断熱部材６１を有する金具３１では、固定部材５１を下葺屋根２１に対して固定した後、断熱部材６１の収容空間６９の開口側を先頭にして固定部材５１の前後方向の一方側から差し込んで、締結ボルト７１を用いて一体化する。
【００７９】
図２３、図２４、図２５、図２６も、断熱部材６１を固定部材５１に対してその前後方向から嵌め込んで取付けるようにした金具３１を示している。また、この金具３１においては、断熱部材６１が固定部材５１の底板部５２から浮いた状態で保持され、底板部５２の上方における前後方向の両方が開放されている。
【００８０】
固定部材５１は、図２１に示した固定部材５１と同様の構造であるが、図２１の場合よりも前後方向の長さが短く設定され、各側板部５３，５３における締結ボルト挿通孔５３ｃを、前後方向の中間部に１個だけ形成している。また、各締結ボルト挿通孔５３ｃの形状は角孔（図２５参照）で、締結ボルト７１には根角ボルトが使用される。
【００８１】
断熱部材６１は、図２２に示した断熱部材６１と同様の構造であるが、上記の固定部材５１の場合と同様に、図２２の場合よりも前後方向の長さが短く設定されて、１個の締結ボルト挿通孔６４が形成されるとともに、高さが短く設定されている。すなわち、受け面部５４が差し込まれる溝部６１ａから下の高さは、側板部５３の高さよりも短く、たとえば２分の１から３分の２程度の高さに設定される。
【００８２】
そして、断熱部材６１における前後方向の一方側の短部に、左右方向外方向に張り出す縁部６３が形成され、前後方向の他方側の端面が、左右方向の中間部が前後方向に突出する湾曲面６１ｂで形成されている。
【００８３】
断熱部材６１にスライド可能に取付けるスライド部材８１は、図１０に示したスライド部材８１と同様に、スライド板８２と、スライド板８２の雌ねじ孔８２ａに下端部の第１雄ねじ部８３ａを螺合する剣先ボルト８３とよりなるが、図１０の場合とは異なり、鍔部を有しない。鍔部を有しない代わりに、平ワッシャ状の円形をなす受け板部材９７を、剣先ボルト８３の第２雄ねじ部８３ｂの根元に嵌めて、屋根板を受けるようにする。鍔部を有する剣先ボルトを用いる場合に比して安価に製造できる。
【００８４】
また、スライド板８２の一端部は予めＬ字型に折曲されており、他端部は、断熱部材６１のスライド溝６６に対して差し込んでから、図２４に仮想線で示したように折り曲げる。折り曲げで形成された規制片８２ｂは、スライド範囲を規制するもので、前後両端部の規制片８２ｂ間の長さは、断熱部材６１の長溝６７の長さに対応させている。
【００８５】
このように構成された金具３１では、上述のように断熱部材６１を固定部材５１から外した状態で、固定部材５１を下葺屋根に固定して使用する。また、断熱部材６１が固定部材５１の底板部５２から浮いた状態で保持されており、底板部５２の前後方向の両側が開放された構造であり、締結ボルトを１本だけ有する前後方向の長さが短い形態であるので、底板部５２上方の空間に手や治具を入れて固定作業を行うことも場合によっては可能である。
【００８６】
また、断熱部材６１の前後方向の他端面は湾曲面６１ｂで構成されているので、固定部材５１に対する保持が容易にできる。
【００８７】
さらに、断熱部材６１の小型化を図り、締結ボルト７１の本数を低減できるので、コストを抑え、軽量化を図ることもできる。
【００８８】
図２６は、スライド部材８１のスライドを不可にするストッパ部材９５を備えた金具３１の例である。この場合、上記のスライド部材８１におけるスライド板８２は、断熱部材６１の前後方向の長さと同一に設定して、必要な材料を少なくしている。
【００８９】
ストッパ部材９５は、断熱部材６１に対して上から取付けられ、スライド部材８１の一部に係合する第１係合部と、断熱部材６１の一部に係合する第２係合部とを有するものであって、短冊状の金属板を折り曲げて形成されている。すなわち、金属板の中央部に、第１係合部として、剣先ボルト８３を通す貫通孔９５ｂが形成されている。また、長さ方向の両端部に、第２係合部として、下に向けて垂れる規制片９５ｄが形成されている。このように、より簡素な構造のストッパ部材９５を得ることができる。この場合には、受け板部材９７は不要である。
【００９０】
この発明の構成と、上記一形態の構成との対応において、  
この発明の固定手段は、剣先ボルト８３に対応し、  
同様に、  
貫通孔は、締結ボルト挿通孔６４に対応し、  
内側に突出する受け部は、図２１、図２５における受け面部５４に対応するも、  
この発明は上記構成のみに限定されるものではなく、その他の構成を採用することもできる。  
たとえば、固定手段として、吊子などを使用することもできる。  
また、上述の例では、２本の締結ボルト７１を用いて固定部材５１と断熱部材６１の結合を行う例を示したが、１本の締結ボルト７１で締結を行うようにするもよい。
【図面の簡単な説明】
【００９１】
【図１】屋根構造を示す断面図。
【図２】屋根板取付け金具の斜視図。
【図３】屋根板取付け金具の分解斜視図。
【図４】屋根板取付け金具の断面図。
【図５】断熱部材の断面図。
【図６】スライド部材の分解斜視図。
【図７】屋根板取付け金具の使用状態を示す説明図。
【図８】屋根板取付け金具の使用状態を示す説明図。
【図９】屋根板取付け金具の使用状態を示す説明図。
【図１０】他の例に係るスライド部材の説明図。
【図１１】他の例に係る固定部材の斜視図。
【図１２】他の例に係る固定部材の斜視図。
【図１３】ストッパ部材を示す断面図。
【図１４】他の例に係る断熱部材の断面図。
【図１５】他の例に係る屋根板取付け金具の断面図。
【図１６】他の例に係る屋根板取付け金具の斜視図。
【図１７】図１６に示した屋根板取付け金具の断面図。
【図１８】図１６に示した屋根板取付け金具の分解斜視図。
【図１９】図１６に示した屋根板取付け金具における断熱部材の分解斜視図。
【図２０】図１６に示した屋根板取付け金具に用いられるストッパ部材を示す斜視図。
【図２１】他の例に係る屋根板取付け金具の断面図。
【図２２】図２１に示した屋根板取付け金具における断熱部材の断面図。
【図２３】他の例に係る屋根板取付け金具の斜視図。
【図２４】図２３の断熱部材と分解したスライド部材の斜視図。
【図２５】図２３の屋根板取付け金具の分解斜視図。
【図２６】ストッパ部材を取付けた他の例に係る屋根板取付け金具の斜視図。
【符号の説明】
【００９２】
１１…屋根
２１…下葺屋根
２５…剣先ボルト
３１…屋根板取付け金具
４１…上葺屋根
４２…屋根板
５１…固定部材
５２…底板部
５２ａ…隆起部
５２ｂ…剣先ボルト挿通孔
５３…側板部
５３ａ，５３ｂ…締結ボルト挿通孔
５４…受け面部
６１…断熱部材
６１ａ…溝部
６１ｂ…湾曲面
６３…縁部
６４…締結ボルト挿通孔
６９…収容空間
７１…締結ボルト
８１…スライド部材
８３…剣先ボルト
【図１】
2008050931.tif 000003
【図２】
2008050931.tif 000004
【図３】
2008050931.tif 000005
【図４】
2008050931.tif 000006
【図５】
2008050931.tif 000007
【図６】
2008050931.tif 000008
【図７】
2008050931.tif 000009
【図８】
2008050931.tif 000010
【図９】
2008050931.tif 000011
【図１０】
2008050931.tif 000012
【図１１】
2008050931.tif 000013
【図１２】
2008050931.tif 000014
【図１３】
2008050931.tif 000015
【図１４】
2008050931.tif 000016
【図１５】
2008050931.tif 000017
【図１６】
2008050931.tif 000018
【図１７】
2008050931.tif 000019
【図１８】
2008050931.tif 000020
【図１９】
2008050931.tif 000021
【図２０】
2008050931.tif 000022
【図２１】
2008050931.tif 000023
【図２２】
2008050931.tif 000024
【図２３】
2008050931.tif 000025
【図２４】
2008050931.tif 000026
【図２５】
2008050931.tif 000027
【図２６】
2008050931.tif 000028